(57)【特許請求の範囲】
【請求項１】
動作サポートシステム（OSS）と、領域機能エンティティと、少なくとも1つの仮想機能ノードとを備えるネットワーク管理システムであって、
前記OSSが、ユーザのサービス要求を受信し、前記領域機能エンティティに前記サービス要求を送信するように構成され、
前記領域機能エンティティが、前記OSSによって送信された前記サービス要求を受信し、前記サービス要求および前記サービス要求に対応する分析アルゴリズムに従って分析結果を取得し、前記サービス要求に対応する第1の仮想ネットワーク機能ノードに前記分析結果を送信するように構成され、
前記第1の仮想ネットワーク機能ノードが、前記領域機能エンティティによって送信された前記分析結果に従って関連処理を実施し、前記領域機能エンティティに処理結果を送信するように構成され、
前記領域機能エンティティが、前記第1の仮想ネットワーク機能ノードによって送信された前記処理結果を受信し、前記処理結果を前記OSSにフィードバックするようにさらに構成され、
前記ネットワーク管理システムが、少なくとも1つの領域機能エンティティを備え、
前記少なくとも1つの領域機能エンティティが、モバイル領域機能エンティティと固定領域機能エンティティとを備え、前記モバイル領域機能エンティティが、モバイルネットワークのサービス要求を処理するように構成され、前記固定領域機能エンティティが、固定ネットワークのサービス要求を処理するように構成される、
ネットワーク管理システム。
【請求項２】
前記OSSが、具体的に、
前記受信されたサービス要求に従って、前記サービス要求に対応するネットワークタイプを特定することと、
前記ネットワークタイプに対応する領域機能エンティティに前記サービス要求を送信することと
を行うように構成され、
前記ネットワークタイプが、モバイルネットワークと固定ネットワークとを備える、
請求項1に記載のネットワーク管理システム。
【請求項３】
前記少なくとも1つの仮想機能ノードが、仮想ネットワーク機能（VNF）、ネットワーク機能仮想化基盤（NFVI）、およびネットワーク機能仮想化管理および編成（NFV MANO）のうちの少なくとも任意の1つまたは複数を備え、前記ネットワーク管理システムが要素マネージャ（EM）をさらに備え、前記EMが少なくとも1つのVNFを管理するように構成され、
前記OSSが前記領域機能エンティティに接続され、前記領域機能エンティティが前記EMおよび前記NFV MANOに接続される、
請求項1または2に記載のネットワーク管理システム。
【請求項４】
動作サポートシステム（OSS）によって送信されたサービス要求を受信するように構成された受信ユニットと、
前記受信ユニットによって受信された前記サービス要求および前記サービス要求に対応する分析アルゴリズムに従って分析結果を取得するように構成された分析ユニットと、
少なくとも1つの仮想機能ノードを備えるデバイス上にあり、前記サービス要求に対応する第1の仮想ネットワーク機能ノードに前記分析結果を送信するように構成された送信ユニットであって、その結果、前記第1の仮想ネットワーク機能ノードが前記分析結果に従って処理を実施する、送信ユニットと
を備える、領域機能エンティティであって、
前記受信ユニットが、前記第1の仮想機能ノードによって送信された処理結果を受信するようにさらに構成され、
前記送信ユニットが、前記処理結果を前記OSSに送信するようにさらに構成され、
前記領域機能エンティティが、モバイル領域機能エンティティまたは固定領域機能エンティティであり、
前記モバイル領域機能エンティティが、モバイルネットワークのサービス要求を処理するように構成され、前記固定領域機能エンティティが、固定ネットワークのサービス要求を処理するように構成される、
領域機能エンティティ。
【請求項５】
ユーザのサービス要求を受信するように構成された受信ユニットと、
領域機能エンティティに前記サービス要求を送信するように構成された送信ユニットであって、その結果、前記領域機能エンティティが前記サービス要求に対して分析および処理を実施する、送信ユニットと
を備える、動作サポートデバイスOSSであって、
前記受信ユニットが、前記領域機能エンティティによって送信された処理結果を受信するようにさらに構成され、
前記領域機能エンティティが、モバイル領域機能エンティティまたは固定領域機能エンティティであり、
前記モバイル領域機能エンティティが、モバイルネットワークのサービス要求を処理するように構成され、前記固定領域機能エンティティが、固定ネットワークのサービス要求を処理するように構成される、
動作サポートシステム（OSS）。
【請求項６】
前記OSSが、
前記サービス要求に従って、前記サービス要求に対応するネットワークタイプを特定するように構成された特定ユニット
をさらに備え、
前記送信ユニットが、具体的に、前記ネットワークタイプに対応する領域機能エンティティに前記サービス要求を送信するように構成される、
請求項5に記載のOSS。
【請求項７】
領域機能エンティティに適用され、
動作サポートシステム（OSS）によって送信されたサービス要求を受信するステップと、
前記サービス要求および前記サービス要求に対応する分析アルゴリズムに従って分析結果を取得するステップと、
少なくとも1つの仮想機能ノードを備えるデバイス上にあり、前記サービス要求に対応する第1の仮想ネットワーク機能ノードに前記分析結果を送信するステップであって、その結果、前記第1の仮想機能ノードが前記分析結果に従って処理を実施する、ステップと、
前記第1の仮想機能ノードによって送信された処理結果を受信するステップであって、前記領域機能エンティティが前記処理結果を前記OSSに送信するようにさらに構成される、ステップと
を備え、
前記領域機能エンティティが、モバイル領域機能エンティティまたは固定領域機能エンティティであり、
前記モバイル領域機能エンティティが、モバイルネットワークのサービス要求を処理するように構成され、前記固定領域機能エンティティが、固定ネットワークのサービス要求を処理するように構成される、
ネットワーク管理方法。
【請求項８】
動作サポートシステム（OSS）に適用され、
ユーザのサービス要求を受信するステップと、
領域機能エンティティに前記サービス要求を送信するステップであって、その結果、前記領域機能エンティティが前記サービス要求に対して分析および処理を実施する、ステップと、
前記領域機能エンティティによって送信された処理結果を受信するステップと
を備え、
前記領域機能エンティティが、モバイル領域機能エンティティまたは固定領域機能エンティティであり、
前記モバイル領域機能エンティティが、モバイルネットワークのサービス要求を処理するように構成され、前記固定領域機能エンティティが、固定ネットワークのサービス要求を処理するように構成される、ネットワーク管理方法。
【請求項９】
ユーザのサービス要求を受信する前記ステップの後に、前記方法が、
前記サービス要求に従って、前記サービス要求に対応するネットワークタイプを特定するステップ
をさらに備え、
領域機能エンティティに前記サービス要求を送信する前記ステップが、
前記ネットワークタイプに対応する領域機能エンティティに前記サービス要求を送信するステップ
を備える、請求項8に記載のネットワーク管理方法。
【請求項１０】
動作サポートシステム（OSS）によって送信されたサービス要求を受信するように構成された通信インターフェースと、
前記通信インターフェースによって受信された前記サービス要求および前記サービス要求に対応する分析アルゴリズムに従って分析結果を取得するように構成されたプロセッサと
を備える、領域機能エンティティであって、
前記通信インターフェースが、少なくとも1つの仮想機能ノードを含むデバイス上にあり、前記サービス要求に対応する第1の仮想ネットワーク機能ノードに前記分析結果を送信するようにさらに構成され、その結果、前記第1の仮想機能ノードが前記分析結果に従って処理を実施し、
前記通信インターフェースが、前記第1の仮想機能ノードによって送信された処理結果を受信し、前記処理結果を前記OSSに送信するようにさらに構成され、
前記領域機能エンティティが、モバイル領域機能エンティティまたは固定領域機能エンティティであり、
前記モバイル領域機能エンティティが、モバイルネットワークのサービス要求を処理するように構成され、前記固定領域機能エンティティが、固定ネットワークのサービス要求を処理するように構成される、
領域機能エンティティ。
【請求項１１】
ユーザのサービス要求を受信するように構成された通信インターフェース
を備える、動作サポートシステム（OSS）であって、
前記通信インターフェースが、領域機能エンティティに前記サービス要求を送信するようにさらに構成され、その結果、前記領域機能エンティティが前記サービス要求に対して分析および処理を実施し、
前記通信インターフェースが、前記領域機能エンティティによって送信された処理結果を受信するようにさらに構成され、
前記領域機能エンティティが、モバイル領域機能エンティティまたは固定領域機能エンティティであり、
前記モバイル領域機能エンティティが、モバイルネットワークのサービス要求を処理するように構成され、前記固定領域機能エンティティが、固定ネットワークのサービス要求を処理するように構成される、
OSS。
【請求項１２】
前記OSSが、
前記サービス要求に従って、前記サービス要求に対応するネットワークタイプを特定するように構成されたプロセッサ
をさらに備え、
前記通信インターフェースが、具体的に、前記ネットワークタイプに対応する領域機能エンティティに前記サービス要求を送信するように構成される、
請求項11に記載のOSS。
【請求項１３】
記録されたプログラムを有するコンピュータ可読記憶媒体であって、前記プログラムはコンピュータに請求項7から9のいずれか一項に記載の方法を実行させる、コンピュータ可読記憶媒体。
【発明の詳細な説明】
【技術分野】
【０００１】
本発明は通信技術の分野に関し、詳細には、ネットワーク管理のシステム、デバイス、および方法に関する。
【背景技術】
【０００２】
ネットワーク通信技術の発展に伴い、図1に示されたように、ネットワーク機能仮想化（network function virtualization、NFV）規格によって定義される既存のネットワークシステムアーキテクチャは、動作サポートデバイス（operations support system、OSS）と、少なくとも1つの要素マネージャ（element management、EM）と、以下のいくつかの仮想機能ノード：仮想ネットワーク機能（virtualized network function、VNF）、ネットワーク機能仮想化基盤（NFV infrastructure、NFVI）、ならびにネットワーク機能仮想化管理および編成（NFV Management and Orchestration、NFV MANO）とを含む場合がある。
【０００３】
各VNFは、VNF上で動作および管理を実施するための対応するEMを提供される。NFVIは、NFVアーキテクチャ内で最も基本的な基盤であり、主に3つの機能ブロック：仮想リソース（Virtualised Resources）、仮想化レイヤ（Virtualisation Layer）、および物理リソース（Hardware Resources）を含む。物理リソースは、3つのタイプのハードウェアリソース：計算リソース、記憶リソース、およびネットワークリソースを含む。仮想化レイヤは、物理リソースと仮想リソースとの間に位置し、VNFに仮想リソースを提供するために、ハードウェアリソースを動的に使用要求される場合がある仮想リソースに仮想化する。NFV MANOは、NFVアーキテクチャ内で全体的な制御、管理、および編成を実施する際に重要な役割を果たし、主に3つの部分：ネットワーク機能仮想化編成器（NFV Orchestrator、NFVO）、仮想ネットワーク機能マネージャ（VNF Manager、VNFM）、および仮想基盤マネージャ（Virtualised Infrastructure Manager、VIM）を含む。ソフトウェアリソースおよびハードウェアリソースが要求されると、NFV MANOは、関連リソースの要求に対して編成、認証、および認可を実施し、VNFをインスタンス化すること、柔軟に編成すること、更新すること、照会すること、または終了することなどの、VNFのライフサイクルを管理することに関与する。加えて、NFV MANOは、ネットワークサービスのポリシー管理（Policy Management）、関連イベントの収集および転送、ならびに、仮想マシンにリソースを追加すること、エネルギー効率を改善すること、またはリソースを返却することなどの、基盤用の関連リソースの構成にも関与する。OSSは、事業者の動作サポートシステムを表し、警告、トラフィック測定、構成管理、またはネットワークプランニングなどの、事業者の（固定ネットワーク領域またはモバイルネットワーク領域などの）様々な領域のネットワーク管理サービスに関与する。ユーザに様々な便利なサービスを提供するとき、OSSは、ユーザのものである動作サービスモードおよび変更原理に応じて、公的リソースに対して編成および構成を実施する。
【０００４】
OSSは事業者の様々な領域のサービス要件を搬送することができるので、OSSは、様々なアルゴリズムに従って様々な領域のサービス要件についてのポリシーを構成する必要がある。その結果、OSSの機能は複雑かつ煩雑になり、それによりOSSの負荷が増大する。
【発明の概要】
【課題を解決するための手段】
【０００５】
本発明の実施形態は、既存のNFVアーキテクチャ内のOSSの複雑かつ煩雑な機能のせいでOSSの負荷が増大する問題を解決するために、ネットワーク管理のシステム、デバイス、および方法を提供する。
【０００６】
前述の目的を達成するために、本発明の実施形態において以下の技術的解決策が使用される。
【０００７】
第1の態様によれば、本発明の一実施形態は、動作サポートシステム（OSS）と、領域機能エンティティと、少なくとも1つの仮想機能ノードとを含むネットワーク管理システムを提供し、
OSSは、ユーザのサービス要求を受信し、領域機能エンティティにサービス要求を送信するように構成され、
領域機能エンティティは、OSSによって送信されたサービス要求を受信し、
サービス要求およびサービス要求に対応する分析アルゴリズムに従って分析結果を取得し、サービス要求に対応する第1の仮想ネットワーク機能ノードに分析結果を送信するように構成され、
第1の仮想ネットワーク機能ノードは、領域機能エンティティによって送信された分析結果に従って関連処理を実施し、領域機能エンティティに処理結果を送信するように構成され、
領域機能エンティティは、第1の仮想ネットワーク機能ノードによって送信された処理結果を受信し、処理結果をOSSにフィードバックするようにさらに構成される。
【０００８】
第1の態様を参照して、第1の態様の第1の可能な実装形態では、
ネットワーク管理システムは、少なくとも1つの領域機能エンティティを含み、
少なくとも1つの領域機能エンティティは、モバイルネットワーク領域機能エンティティと固定ネットワーク領域機能エンティティとを含み、
モバイル領域機能エンティティは、モバイルネットワークのサービス要求を処理するように構成され、
固定領域機能エンティティは、固定ネットワークのサービス要求を処理するように構成される。
【０００９】
第1の態様の第1の可能な実装形態を参照して、第1の態様の第2の可能な実装形態では、
OSSは、具体的に、
受信されたサービス要求に従って、サービス要求に対応するネットワークタイプを特定することと、
ネットワークタイプに対応する領域機能エンティティにサービス要求を送信することと
を行うように構成され、
ネットワークタイプは、モバイルネットワークと固定ネットワークとを含む。
【００１０】
第1の態様または第1の態様の第1から第2の可能な実装形態のうちのいずれか1つを参照して、第1の態様の第3の可能な実装形態では、
少なくとも1つの仮想機能ノードは、仮想ネットワーク機能（VNF）、ネットワーク機能仮想化基盤（NFVI）、またはネットワーク機能仮想化管理および編成（NFV MANO）のうちの少なくとも任意の1つまたは複数を含み、
ネットワーク管理システムは要素マネージャ（EM）をさらに含み、EMは少なくとも1つのVNFを管理するように構成され、
OSSは領域機能エンティティに接続され、領域機能エンティティはEMおよびNFV MANOに接続される。
【００１１】
第2の態様によれば、本発明の一実施形態は、
OSSによって送信されたサービス要求を受信するように構成された受信ユニットと、
受信ユニットによって受信されたサービス要求およびサービス要求に対応する分析アルゴリズムに従って分析結果を取得するように構成された分析ユニットと、
少なくとも1つの仮想機能ノードを含むデバイス上にあり、サービス要求に対応する第1の仮想ネットワーク機能ノードに分析結果を送信するように構成された送信ユニットであって、その結果、第1の仮想機能ノードが分析結果に従って処理を実施する、送信ユニットと
を含む、領域機能エンティティを提供し、
受信ユニットは、第1の仮想機能ノードによって送信された処理結果を受信するようにさらに構成され、
送信ユニットは、処理結果をOSSに送信するようにさらに構成される。
【００１２】
第2の態様を参照して、第2の態様の第1の可能な実装形態では、
領域機能エンティティは、モバイル領域機能エンティティまたは固定領域機能エンティティであり、
モバイル領域機能エンティティは、モバイルネットワークのサービス要求を処理するように構成され、
固定領域機能エンティティは、固定ネットワークのサービス要求を処理するように構成される。
【００１３】
第3の態様によれば、本発明の一実施形態は、
ユーザのサービス要求を受信するように構成された受信ユニットと、
領域機能エンティティにサービス要求を送信するように構成された送信ユニットであって、その結果、領域機能エンティティがサービス要求に対して分析および処理を実施する、送信ユニットと
を含む、動作サポートシステム（OSS）を提供し、
受信ユニットは、領域機能エンティティによって送信された処理結果を受信するようにさらに構成される。
【００１４】
第3の態様を参照して、第3の態様の第1の可能な実装形態では、
OSSは、
サービス要求に従って、サービス要求に対応するネットワークタイプを特定するように構成された特定ユニット
をさらに含み、
送信ユニットは、具体的に、ネットワークタイプに対応する領域機能エンティティにサービス要求を送信するように構成される。
【００１５】
第4の態様によれば、本発明の一実施形態は、領域機能エンティティに適用され、
OSSによって送信されたサービス要求を受信することと、
サービス要求およびサービス要求に対応する分析アルゴリズムに従って分析結果を取得することと、
少なくとも1つの仮想機能ノードを含むデバイス上にあり、サービス要求に対応する第1の仮想ネットワーク機能ノードに分析結果を送信することであって、その結果、第1の仮想機能ノードが分析結果に従って処理を実施する、送信することと、
第1の仮想機能ノードによって送信された処理結果を受信することであって、領域機能エンティティが処理結果をOSSに送信するようにさらに構成される、受信することと
を含む、ネットワーク管理方法を提供する。
【００１６】
第4の態様を参照して、第4の態様の第1の可能な実装形態では、
領域機能エンティティは、モバイル領域機能エンティティまたは固定領域機能エンティティであり、
モバイル領域機能エンティティは、モバイルネットワークのサービス要求を処理するように構成され、
固定領域機能エンティティは、固定ネットワークのサービス要求を処理するように構成される。
【００１７】
第5の態様によれば、本発明の一実施形態は、動作サポートシステム（OSS）に適用され、
ユーザのサービス要求を受信することと、
領域機能エンティティにサービス要求を送信することであって、その結果、領域機能エンティティがサービス要求に対して分析および処理を実施する、送信することと、
領域機能エンティティによって送信された処理結果を受信することと
を含む、ネットワーク管理方法を提供する。
【００１８】
第5の態様を参照して、第5の態様の第1の可能な実装形態では、
ユーザのサービス要求を受信することの後に、方法は、
サービス要求に従って、サービス要求に対応するネットワークタイプを特定すること
をさらに含み、
領域機能エンティティにサービス要求を送信することは、
ネットワークタイプに対応する領域機能エンティティにサービス要求を送信すること
を含む。
【００１９】
第6の態様によれば、本発明の一実施形態は、
OSSによって送信されたサービス要求を受信するように構成された通信インターフェースと、
通信インターフェースによって受信されたサービス要求およびサービス要求に対応する分析アルゴリズムに従って分析結果を取得するように構成されたプロセッサと
を含む、領域機能エンティティを提供し、
通信インターフェースは、少なくとも1つの仮想機能ノードを含むデバイス上にあり、サービス要求に対応する第1の仮想ネットワーク機能ノードに分析結果を送信するようにさらに構成され、その結果、第1の仮想機能ノードは分析結果に従って処理を実施し、
通信インターフェースは、第1の仮想機能ノードによって送信された処理結果を受信し、処理結果をOSSに送信するようにさらに構成される。
【００２０】
第6の態様を参照して、第6の態様の第1の可能な実装形態では、
領域機能エンティティは、モバイル領域機能エンティティまたは固定領域機能エンティティであり、
モバイル領域機能エンティティは、モバイルネットワークのサービス要求を処理するように構成され、
固定領域機能エンティティは、固定ネットワークのサービス要求を処理するように構成される。
【００２１】
第7の態様によれば、本発明の一実施形態は、
ユーザのサービス要求を受信するように構成された通信インターフェース
を含む、動作サポートシステム（OSS）を提供し、
通信インターフェースは、領域機能エンティティにサービス要求を送信するようにさらに構成され、その結果、領域機能エンティティはサービス要求に対して分析および処理を実施し、
通信インターフェースは、領域機能エンティティによって送信された処理結果を受信するようにさらに構成される。
【００２２】
第7の態様を参照して、第7の態様の第1の可能な実装形態では、
OSSは、
サービス要求に従って、サービス要求に対応するネットワークタイプを特定するように構成されたプロセッサ
をさらに含み、
通信インターフェースは、具体的に、ネットワークタイプに対応する領域機能エンティティにサービス要求を送信するように構成される。
【００２３】
本発明の実施形態がネットワーク管理のシステム、デバイス、および方法を提供することを、前述の説明から知ることができる。OSSは、ユーザのサービス要求を受信することと、領域機能エンティティにサービス要求を送信することであって、その結果、領域機能エンティティがサービス要求に対して分析および処理を実施する、送信することと、領域機能エンティティによってフィードバックされた処理結果をユーザにフィードバックすることとを行う。したがって、OSSは、サービス要求に対する分析および処理をもはや実施せず、それにより、OSSの負荷が大きく低減される。
【００２４】
本発明の実施形態または従来技術における技術的解決策をより明確に記載するために、以下で、実施形態または従来技術を記載するために必要とされる添付図面を簡単に記載する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００２５】
【図１】既存のNFVアーキテクチャの概略図である。
【図２】本発明の一実施形態による、領域機能エンティティ201の構造図である。
【図３】本発明の一実施形態による、OSS202の構造図である。
【図３Ａ】本発明の一実施形態による、OSS202の構造図である。
【図４】本発明の一実施形態による、ネットワーク管理システム20のアーキテクチャの図である。
【図４Ａ】本発明の一実施形態による、ネットワーク管理システム20のアーキテクチャの図である。
【図５】本発明の一実施形態による、ネットワーク管理方法のフローチャートである。
【図６】本発明の一実施形態による、ネットワーク管理方法のフローチャートである。
【図７】本発明の一実施形態による、ネットワーク管理方法のフローチャートである。
【図７Ａ】本発明の一実施形態による、ネットワーク管理方法のフローチャートである。
【図７Ｂ】本発明の一実施形態による、さらに別のネットワーク管理方法のフローチャートである。
【図７Ｃ】本発明の一実施形態による、別のネットワーク管理方法のフローチャートである。
【図８】本発明の一実施形態による、領域機能エンティティ401の構造図である。
【図９】本発明の一実施形態による、OSS402の構造図である。
【図１０】本発明の一実施形態による、ネットワーク管理システム40のアーキテクチャの図である。
【発明を実施するための形態】
【００２６】
以下で、本発明の実施形態における添付図面を参照して、本発明の実施形態における技術的解決策を明確かつ完全に記載する。明らかに、記載される実施形態は、本発明の実施形態のうちのいくつかにすぎず、すべてではない。創造的な努力なしに本発明の実施形態に基づいて、当業者によって取得されるすべての他の実施形態は、本発明の保護範囲内に入るべきである。
【００２７】
実施形態1
図2は、本発明の一実施形態による、領域機能エンティティ201の構造図である。領域機能エンティティは、事業者の内部管理インターフェースを使用することによって仮想機能ノードに接続される場合があり、各領域機能エンティティに対応するタイプのネットワークの警告、トラフィック測定、構成管理、またはネットワークプランニングなどの、ネットワーク管理機能に関与する。
【００２８】
図2に示されたように、領域機能エンティティ201は、
OSSによって送信されたサービス要求を受信するように構成された受信ユニット2011と、
サービス要求およびサービス要求に対応する分析アルゴリズムに従って分析結果を取得するように構成された分析ユニット2012と、
少なくとも1つの仮想機能ノードを含むデバイス上にあり、サービス要求に対応する第1の仮想ネットワーク機能ノードに分析結果を送信するように構成された送信ユニット2013と
を含む場合がある。
【００２９】
サービス要求に対応する第1の仮想ネットワーク機能ノードは、分析結果に従って関連処理を実施し、その処理結果がユーザのサービス要求を満たすことができる、仮想ネットワーク機能ノードであり得る。
【００３０】
受信ユニット2011は、第1の仮想機能ノードが分析結果に従って処理を実施した後、第1の仮想機能ノードによって返信された処理結果を受信するようにさらに構成される。
【００３１】
たとえば、ユーザがビデオ性能データを要求した場合、処理結果は、分析結果内の（初期バッファ遅延、中断時間の量、および中断遅延などの）いくつかの性能パラメータのデータを含み、または、サービス要求が新しい仮想ネットワーク要素ノードを追加することに対する要求である場合、処理結果は以下の通りである：分析結果に従って仮想リソースがそれに応じて組み合わされる。
【００３２】
送信ユニットは、処理結果をOSSに送信するようにさらに構成される。
【００３３】
本発明のこの実施形態では、領域機能エンティティは、様々な分析アルゴリズムを使用して様々なサービス要求のための処理を実施することに留意されたい。分析アルゴリズムは、OSSによって受信されたサービス要求に対して、既存のNFVアーキテクチャ内でOSSによって使用されるアルゴリズムであり得るか、または通信技術の発展に伴って後で導入されるアルゴリズムであり得る。
【００３４】
たとえば、サービス要求がビデオ性能データの要求である場合、サービス要求に対応する分析アルゴリズムは、ビデオ性能を表す（初期バッファ遅延、中断時間の量、および中断遅延などの）特定のパラメータを正確に取得するために使用することができ、ビデオ性能データが受信された後に事前分析を実施するために使用することができるアルゴリズムであり得るし、たとえば、平均オピニオンスコア（mean opinion score、MOS）アルゴリズムは、カスタマ体験のスコアを計算してカスタマ体験を表すために使用され、カスタマ体験のスコアはOSSにフィードバックされる。
【００３５】
サービス要求が新しい仮想ネットワーク要素ノードを追加することに対する要求である場合、サービス要求に対応する分析アルゴリズムは、ネットワーク要素エンティティの機能を実装するために組み合わされる必要がある（計算リソース、記憶リソース、およびネットワークリソースなどの）仮想リソースの量を定量的に計算するために使用することができるアルゴリズムである。
【００３６】
場合によっては、本発明のこの実施形態では、領域機能エンティティは、相反するネットワークサービス処理によってもたらされる不便を回避するために、1つの領域のみのサービス要求を処理し、様々な領域の処理機能が領域機能エンティティによって実装されるときに領域機能エンティティの負荷が増大する問題を回避する。領域機能エンティティは、モバイル領域機能エンティティであり得るか、固定領域機能エンティティであり得るか、または、通信技術の発展に伴って追加される別の新しい領域の領域機能エンティティであり得る。
【００３７】
モバイル領域機能エンティティは、モバイルネットワークのサービス要求を処理するように構成される。
【００３８】
固定領域機能エンティティは、固定ネットワークのサービス要求を処理するように構成される。
【００３９】
本発明のこの実施形態は、OSSによって送信されたサービス要求を受信することと、サービス要求およびサービス要求に対応する分析アルゴリズムに従って分析結果を取得することと、少なくとも1つの仮想機能ノードを含むデバイス上にあり、サービス要求に対応する第1の仮想ネットワーク機能ノードに分析結果を送信することと、デバイスが分析結果に従って処理を実施した後にデバイスによってフィードバックされた処理結果を受信することと、処理結果をOSSに送信することとを行うように構成された領域機能エンティティを提供することを、前述の説明から知ることができる。したがって、領域機能エンティティは、OSSに取って代わって、サービス要求およびサービス要求に対応する分析アルゴリズムに従って分析結果を取得する実行機能を実施し、それにより、OSSの負荷が大きく低減される。
【００４０】
実施形態2
図3は、本発明の一実施形態による、OSS202の構造図である。従来のネットワーク管理ノードとは異なり、OSS202は、警告、トラフィック測定、構成管理、またはネットワークプランニングなどの、ネットワークのネットワーク管理機能にもはや関与しないが、事業者の内部管理インターフェースを使用することによって領域機能エンティティに接続される。OSS202は、受信されたサービス要求を対応する領域機能エンティティに送信し、その結果、領域機能エンティティは、サービス要求に従って関連する処理機能を実施する。
【００４１】
図3に示されたように、OSS202は、受信ユニット2021と、送信ユニット2022とを含む場合がある。
【００４２】
受信ユニット2021は、ユーザのサービス要求を受信するように構成される。
【００４３】
サービス要求は、OSS202のユーザ対話インターフェースを使用することによりユーザによって送信される場合があるか、またはユーザのハンドヘルド端末を使用することによりユーザによって送信される場合がある。
【００４４】
送信ユニット2022は、領域機能エンティティにサービス要求を送信するように構成され、その結果、領域機能エンティティは、サービス要求に対して分析および処理を実施する。
【００４５】
受信ユニット2021は、領域機能エンティティによってフィードバックされた処理結果を受信するようにさらに構成される。
【００４６】
場合によっては、OSS202は、ユーザ対話インターフェースを使用することによりユーザに処理結果をさらにフィードバックするか、または
ユーザのハンドヘルド端末に処理結果を送信する場合があり、その結果、ユーザは処理結果を選択し見ることができる。
【００４７】
場合によっては、本発明のこの実施形態では、サービス要求はさらに、相反するネットワークサービス処理によってもたらされる不便を回避し、様々な領域の処理機能が領域機能エンティティによって実装されるときに領域機能エンティティの負荷が増大する問題を回避するために、専門化された領域機能エンティティに送信される必要がある。具体的には、図3Aに示されたように、OSS202は、
サービス要求に従って、サービス要求に対応するネットワークタイプを特定するように構成された特定ユニット2023
をさらに含む場合がある。
【００４８】
送信ユニット2022は、具体的に、ネットワークタイプに対応する領域機能エンティティにサービス要求を送信するように構成される。
【００４９】
ネットワークタイプには、固定ネットワーク、モバイルネットワーク、および通信技術の発展に伴って後で追加される別の新しいネットワークが含まれる場合がある。
【００５０】
サービス要求に対応するネットワークタイプは、サービス要求を送信するユーザが位置するネットワークのネットワークタイプであり得るし、たとえば、モバイルネットワークユーザがサービス要求を送信する場合、サービス要求に対応するネットワークタイプはモバイルネットワークである。
【００５１】
ネットワークタイプに対応する領域機能エンティティは、このネットワークタイプのネットワークによって送信されるサービス要求に従って関連処理を実施するように特別に構成された領域機能エンティティである。領域機能エンティティは、モバイル領域機能エンティティであり得るか、または固定領域機能エンティティであり得る。モバイル領域機能エンティティは、モバイルネットワークのサービス要求を処理するように構成される。固定領域機能エンティティは、固定ネットワークのサービス要求を処理するように構成される。
【００５２】
たとえば、サービス要求がモバイルネットワークからである場合、ネットワークタイプはモバイルネットワークである。領域機能エンティティ1はモバイルネットワークサービスのみを処理し、領域機能エンティティ2は固定ネットワークサービスのみを処理するので、このサービス要求に対応する領域機能エンティティは、領域機能エンティティ2ではなく、領域機能エンティティ1である。
【００５３】
本発明のこの実施形態は、ユーザのサービス要求を受信することと、領域機能エンティティにサービス要求を送信することであって、その結果、領域機能エンティティがサービス要求に対して分析および処理を実施する、送信することと、領域機能エンティティによってフィードバックされた処理結果をユーザにフィードバックすることとを行うように構成されたOSSを提供することを、前述の説明から知ることができる。したがって、OSSは、サービス要求に対する分析および処理をもはや実施せず、それにより、OSSの負荷が大きく低減される。
【００５４】
実施形態3
図4は、本発明の一実施形態による、ネットワーク管理システム20のアーキテクチャの図を示す。図4に示されたように、ネットワーク管理システム20は、OSS202と、少なくとも1つの領域機能エンティティ201と、少なくとも1つの仮想機能ノードとを含む場合がある。
【００５５】
OSS202は、実施形態1におけるOSS202の機能と同じ機能を有する。従来のネットワーク管理ノードとは異なり、OSS202は、警告、トラフィック測定、構成管理、またはネットワークプランニングなどの、ネットワークのネットワーク管理機能にもはや関与しないが、事業者の内部管理インターフェースを使用することによって領域機能エンティティに接続される。OSS202は、受信されたサービス要求を対応する領域機能エンティティに送信し、その結果、領域機能エンティティは、サービス要求に従って関連する処理機能を実施する。
【００５６】
領域機能エンティティ201は、実施形態2における領域機能エンティティ201の機能と同じ機能を有する。領域機能エンティティ201は、事業者の内部管理インターフェースを使用することによって仮想機能ノードに接続される場合があり、警告、トラフィック測定、構成管理、またはネットワークプランニングなどの、各領域機能エンティティに対応するタイプのネットワークのネットワーク管理機能に関与する。
【００５７】
仮想機能ノードは、ネットワークサービスを提供するために事業者によって使用される任意の共有デバイス上に位置する場合があり、たとえば、仮想機能ノードは、共有サーバ、ストレージデバイス、またはスイッチ上に位置する。仮想機能ノードは、ルータ、ファイアウォール、負荷分散装置、スイッチ、またはサーバなどの、標準仮想化技術を使用することによって取得され、データセンター内、ネットワークノード上、またはエンドユーザの店舗上に展開された、様々な情報基盤デバイスの機能と同じ機能を有するノードである。仮想機能ノードは、もはやOSSと直接対話しないが、ユーザに様々なサービスを提供するために、事業者の内部管理インターフェースを使用することによって領域機能エンティティ201に接続される。
【００５８】
OSS202は、ユーザのサービス要求を受信し、領域機能エンティティ201にサービス要求を送信するように構成される。
【００５９】
サービス要求は、OSS202のユーザ対話インターフェースを使用することによりユーザによって送信される場合があるか、またはユーザのハンドヘルド端末を使用することによりユーザによってOSS202に送信される場合がある。
【００６０】
領域機能エンティティ201は、OSS202によって送信されたサービス要求を受信し、サービス要求およびサービス要求に対応する分析アルゴリズムに従って分析結果を取得し、サービス要求に対応する第1の仮想ネットワーク機能ノードに分析結果を送信するように構成される。
【００６１】
送信元に応じて、サービス要求は、モバイルネットワークサービス要求、固定ネットワークサービス要求、および別のネットワークサービス要求に分類される場合がある。
【００６２】
本発明のこの実施形態では、領域機能エンティティは、様々な分析アルゴリズムを使用して様々なサービス要求のための処理を実施することに留意されたい。分析アルゴリズムは、OSSによって受信されたサービス要求に対して、既存のNFVアーキテクチャ内でOSSによって使用されるアルゴリズムであり得るか、または通信技術の発展に伴って後で導入されるアルゴリズムであり得る。
【００６３】
たとえば、サービス要求がビデオ性能データの要求である場合、サービス要求に対応する分析アルゴリズムは、ビデオ性能を表す（初期バッファ遅延、中断時間の量、および中断遅延などの）特定のパラメータを正確に取得するために使用することができ、ビデオ性能データが収集された後に前提分析を実施するために使用することができるアルゴリズムであり得るし、たとえば、平均オピニオンスコア（mean opinion score、MOS）アルゴリズムは、カスタマ体験のスコアを計算してカスタマ体験を表すために使用され、カスタマ体験のスコアはOSSにフィードバックされる。サービス要求が新しい仮想ネットワーク要素ノードを追加することに対する要求である場合、サービス要求に対応する分析アルゴリズムは、ネットワーク要素エンティティの機能を実装するために組み合わされる必要がある（計算リソース、記憶リソース、およびネットワークリソースなどの）仮想リソースの量を定量的に計算するために使用することができるアルゴリズムである。
【００６４】
サービス要求に対応する第1の仮想ネットワーク機能ノードは、分析結果に従って関連処理を実施し、その処理結果がユーザのサービス要求を満たすことができる、仮想ネットワーク機能ノードであり得る。
【００６５】
第1の仮想ネットワーク機能ノードは、領域機能エンティティ201によって送信された分析結果に従って関連処理を実施し、領域機能エンティティ201に処理結果を送信するように構成される。
【００６６】
様々な分析結果に対する関連処理は、対応するノードを見つけることおよび関連情報を収集することなどの従来技術であり得る。詳細は本明細書では記載されない。
【００６７】
たとえば、ユーザがビデオ性能データを要求した場合、処理結果は、分析結果内の（初期バッファ遅延、中断時間の量、および中断遅延などの）いくつかの性能パラメータのデータを含み、または、サービス要求が新しい仮想ネットワーク要素ノードを追加することに対する要求である場合、処理結果は以下の通りである：分析結果に従って仮想リソースがそれに応じて組み合わされる。
【００６８】
領域機能エンティティ201は、第1の仮想ネットワーク機能ノードによって送信された処理結果を受信し、処理結果をOSS202にフィードバックするようにさらに構成される。
【００６９】
さらに、OSS202は、
ユーザ対話インターフェースを使用することによりユーザに処理結果をフィードバックすること、またはユーザのハンドヘルド端末に処理結果を送信することであって、その結果、ユーザが処理結果を選択し見ることができる、送信すること
を行うようにさらに構成される場合がある。
【００７０】
場合によっては、本発明のこの実施形態では、ネットワーク管理システム20は、少なくとも1つの領域機能エンティティを含む場合があり、相反するネットワークサービス処理によってもたらされる不便を回避し、様々な領域の処理機能が領域機能エンティティによって実装されるときに領域機能エンティティの負荷が増大する問題を回避するために、1つの領域機能エンティティは1つの領域のみのサービス要求を処理する。
【００７１】
それに対応して、OSS202は、具体的に、サービス要求に従って、サービス要求に対応するネットワークタイプを特定し、ネットワークタイプに対応する領域機能エンティティにサービス要求を送信するように構成される。
【００７２】
ネットワークタイプには、固定ネットワーク、モバイルネットワーク、および通信技術の発展に伴って後で追加される別の新しいネットワークが含まれる場合がある。サービス要求に対応するネットワークタイプは、サービス要求を送信するユーザが位置するネットワークのネットワークタイプであり得るし、たとえば、モバイルネットワークユーザがサービス要求を送信する場合、サービス要求に対応するネットワークタイプはモバイルネットワークである。
【００７３】
ネットワークタイプに対応する領域機能エンティティは、このネットワークタイプのネットワークによって送信されるサービス要求に従って関連処理を実施するように特別に構成された領域機能エンティティである。領域機能エンティティは、モバイル領域機能エンティティであり得るか、または固定領域機能エンティティであり得る。モバイル領域機能エンティティは、モバイルネットワークのサービス要求を処理するように構成される。固定領域機能エンティティは、固定ネットワークのサービス要求を処理するように構成される。
【００７４】
たとえば、サービス要求がモバイルネットワークからである場合、ネットワークタイプはモバイルネットワークである。領域機能エンティティ1はモバイルネットワークサービスのみを処理し、領域機能エンティティ2は固定ネットワークサービスのみを処理するので、このサービス要求に対応する領域機能エンティティは、領域機能エンティティ2ではなく、領域機能エンティティ1である。
【００７５】
場合によっては、本発明において提供されるネットワーク管理システム内の仮想機能ノードは、少なくとも1つの仮想ネットワーク機能（virtualized network function、略してVNF）と、ネットワーク機能仮想化基盤（NFV infrastructure、略してNFVI）と、ネットワーク機能仮想化管理および編成（NFV Management and Orchestration、略してNFV MANO）と、通信技術の発展に伴って後で追加されるいくつかの新しい仮想機能ノードとを含む場合がある。
【００７６】
NFV MANOは、3つの部分：ネットワーク機能仮想化編成器（NFV Orchestrator、略してNFVO）、仮想ネットワーク機能マネージャ（VNF Manager、略してVNFM）、および仮想基盤マネージャ（Virtualised Infrastructure Manager、略してVIM）を含む場合がある。加えて、領域機能エンティティとVNFとの間の対話を実装するために、ネットワーク管理システムは、領域機能エンティティとVNFとの間に要素マネージャ（element manager、略してEM）をさらに含む必要がある。各EMは1つまたは複数のVNFを管理する。代替として、EMは含まれない場合があり、その結果、領域機能エンティティとVNFは互いに直接接続される。このことは本発明のこの実施形態では限定されない。この明細書では、ネットワーク管理システムは、領域機能エンティティとVNFとの間にEMが存在する例を使用することによって記載されるにすぎない。
【００７７】
場合によっては、図4Aに示されたように、ネットワーク管理システムがEM2031と、VNF2032と、NFVI2033と、NFV MANO2034とを含むとき、ネットワーク管理システム20のアーキテクチャは以下の通りであり得る。
【００７８】
OSS202は領域機能エンティティ201に接続される。領域機能エンティティはEM2031およびNFV MANO2034に接続される。EM2031はVNF2032に接続される。VNF2032はNFVI2033に接続される。NFV MANO2034は、EM2031、VNF2032、およびNFVI2033に個別に接続される。
【００７９】
EM2031、VNF2032、NFVI2033、およびNFV MANO2034は、図1に示されたNFVアーキテクチャ内のEM、VNF、NFVI、およびNFV MANOの機能と同じ機能を有する。詳細は本明細書では再び記載されない。
【００８０】
以下で、サービス要求がビデオ性能データの要求、ネットワークサービス（network service、略してNS）インスタンス化の要求、またはネットワークプランニングの要求であるときの、OSS、領域機能エンティティ、EM、VNF、NFVI、およびNFV MANOの具体的な機能を個別に記載する。
【００８１】
（1）ネットワークサービス要求がビデオ性能データの要求である。
【００８２】
OSS202は、ユーザによって送信されたビデオ性能データの要求を受信し、モバイル領域機能エンティティにビデオ性能データの要求を送信するように構成される。
【００８３】
ビデオ性能データの要求は、モバイルネットワークからであり、モバイルネットワークのビデオ体験分析データを取得することを要求するために使用される。
【００８４】
モバイル領域機能エンティティ201は、ビデオ性能を表すことができるパラメータを取得するために、分析アルゴリズムに従って分析を実施するように構成される。
【００８５】
パラメータは、ユーザのビデオ体験を正確に表すことができ、初期バッファ遅延、中断時間の量、または中断遅延のうちの少なくとも1つを含む。
【００８６】
モバイル領域機能エンティティ201は、EMによって送信され、パラメータに対応するサービスデータを受信し、受信されたサービスデータを処理し、次いで、処理されたサービスデータをOSS202に送信するようにさらに構成され、その結果、OSS202は処理されたサービスデータをユーザにフィードバックする。
【００８７】
具体的には、モバイル領域機能エンティティ201は、ビデオ性能データの要求およびパラメータを含む分析結果をEMに送信し、EMによって管理されたVNFから、パラメータに従いEMによって取得されたサービスデータを受信するか、またはパラメータに対応し、EMによって収集され率先して報告されたパラメータに対応するサービスデータを受信するように構成される場合がある。
【００８８】
EMとVNFとの間のデータ取得プロセスは既存のプロセスである。詳細は本発明では記載されない。受信されたサービスデータが処理されることは、ユーザのビデオ体験を直接表すことができるデータまたは動的画像を形成するために、サービスデータについて統計データを収集することを含む場合がある。
【００８９】
たとえば、サービスデータは大量の中断遅延を含む。この場合、データは、その中断遅延が比較的高いか低いかなどであり、ユーザのビデオ体験を直接表すデータに変換される場合がある。
【００９０】
（2）ネットワークサービス要求がNSインスタンス化の要求である。
【００９１】
OSS202は、ユーザによって送信されたNSインスタンス化の要求を受信し、モバイル領域機能エンティティ201にNSインスタンス化の要求を送信するように構成される。
【００９２】
NSインスタンス化の要求は、モバイルネットワークからであり、遅延を減らすことまたはユーザ体験を高めることなどの、ユーザの特定の要件を満たすために、対応するリソースをユーザに割り振ることを要求するために使用される。
【００９３】
モバイル領域機能エンティティ201は、分析アルゴリズムに従って、NSインスタンス化に必要なリソースを分析し、対応する構成ポリシーを実行し、NSインスタンス化の要求および構成情報をNFV MANO内のNFVOに送信するように構成される。
【００９４】
NFVOは、構成情報に従ってNSインスタンス化を実施し、NSインスタンス化成功メッセージを領域機能エンティティに送信するように構成され、その結果、領域機能エンティティはNSインスタンス化成功メッセージをOSSに送信する。
【００９５】
NSインスタンス化のプロセスは従来技術である。詳細は本明細書では記載されない。
【００９６】
（3）ネットワークサービス要求がネットワークプランニングの要求である。
【００９７】
OSS202は、ユーザによって送信されたネットワークプランニングの要求を受信し、モバイル領域機能エンティティ201にネットワークプランニングの要求を送信するように構成される。
【００９８】
ネットワークプランニングの要求は、モバイルネットワークに対するネットワークプランニングの要求であり得るし、ネットワーク管理システムに新しいネットワーク要素ノードを追加すること、または、容量などのネットワーク管理システム内の既存のネットワークノードの特徴を修正することを要求するために使用される。
【００９９】
モバイル領域機能エンティティ201は、分析アルゴリズムに従って、ネットワークプランニングの要求に必要なリソースを分析し、対応する構成ポリシーを実行し、ネットワークプランニングの要求および構成情報をNFV MANO内のNFVOに送信するように構成される。
【０１００】
たとえば、ネットワークプランニングの要求が新しいネットワーク要素ノードを追加することである場合、構成ポリシーは、ネットワーク要素ノードを形成する関連リソースを構成し、構成に従って形成されたネットワーク要素ノードがエンティティノードの機能と同じ機能を有することを可能にすることである。
【０１０１】
NFVOは、構成情報に従ってネットワークプランニングを実施し、ネットワークプランニング成功メッセージを領域機能エンティティに送信するように構成され、その結果、領域機能エンティティはネットワークプランニング成功メッセージをOSSに送信する。
【０１０２】
ネットワークプランニングのプロセスは従来技術である。詳細は本明細書では記載されない。
【０１０３】
既存のNFVアーキテクチャと比較して、この実施形態ではネットワーク管理アーキテクチャに領域機能エンティティが追加されることを、前述の説明から知ることができる。領域機能エンティティは、対応するアルゴリズムを使用してサービス要求を分析し、その結果、OSSは受信されたサービス要求に対するアルゴリズム分析をもはや実施せず、それにより、OSSの負荷が大きく低減される。
【０１０４】
実施形態4
図5は、本発明の一実施形態による、ネットワーク管理方法のフローチャートを示す。方法は実施形態1における領域機能エンティティに適用される。方法は以下のステップを含む場合がある。
【０１０５】
101．OSSによって送信されたサービス要求を受信する。
【０１０６】
サービス要求に対応する第1の仮想ネットワーク機能ノードは、分析結果に従って関連処理を実施し、その処理結果がユーザのサービス要求を満たすことができる、仮想ネットワーク機能ノードであり得る。
【０１０７】
102．サービス要求およびサービス要求に対応する分析アルゴリズムに従って分析結果を取得する。
【０１０８】
本発明のこの実施形態では、領域機能エンティティは、様々な分析アルゴリズムを使用して様々なサービス要求のための処理を実施することに留意されたい。分析アルゴリズムは、OSSによって受信されたサービス要求に対して、既存のNFVアーキテクチャ内でOSSによって使用されるアルゴリズムであり得るか、または通信技術の発展に伴って後で導入されるアルゴリズムであり得る。
【０１０９】
たとえば、サービス要求がビデオ性能データの要求である場合、サービス要求に対応する分析アルゴリズムは、ビデオ性能を表す（初期バッファ遅延、中断時間の量、および中断遅延などの）特定のパラメータを正確に取得するために使用することができ、ビデオ性能データが受信された後に事前分析を実施するために使用することができるアルゴリズムであり得るし、たとえば、平均オピニオンスコア（mean opinion score、MOS）アルゴリズムは、カスタマ体験のスコアを計算してカスタマ体験を表すために使用され、カスタマ体験のスコアはOSSにフィードバックされる。サービス要求が新しい仮想ネットワーク要素ノードを追加することに対する要求である場合、サービス要求に対応する分析アルゴリズムは、ネットワーク要素エンティティの機能を実装するために組み合わされる必要がある（計算リソース、記憶リソース、およびネットワークリソースなどの）仮想リソースの量を定量的に計算するために使用することができるアルゴリズムである。
【０１１０】
103．少なくとも1つの仮想機能ノードを含むデバイス上にあり、サービス要求に対応する第1の仮想ネットワーク機能ノードに分析結果を送信し、その結果、第1の仮想機能ノードは分析結果に従って処理を実施する。
【０１１１】
104．第1の仮想機能ノードによって送信された処理結果を受信し、処理結果をOSSに送信する。
【０１１２】
たとえば、ユーザがビデオ性能データを要求した場合、処理結果は、分析結果内の（初期バッファ遅延、中断時間の量、および中断遅延などの）いくつかの性能パラメータのデータを含み、または、サービス要求が新しい仮想ネットワーク要素ノードを追加することに対する要求である場合、処理結果は以下の通りである：分析結果に従って仮想リソースがそれに応じて組み合わされる。
【０１１３】
場合によっては、本発明のこの実施形態では、領域機能エンティティは、相反するネットワークサービス処理によってもたらされる不便を回避するために、1つの領域のみのサービス要求を処理し、様々な領域の処理機能が領域機能エンティティによって実装されるときに領域機能エンティティの負荷が増大する問題を回避する。領域機能エンティティは、モバイル領域機能エンティティであり得るか、固定領域機能エンティティであり得るか、または、通信技術の発展に伴って追加される別の新しい領域の領域機能エンティティであり得る。
【０１１４】
モバイル領域機能エンティティは、モバイルネットワークのサービス要求を処理するように構成される。
【０１１５】
固定領域機能エンティティは、固定ネットワークのサービス要求を処理するように構成される。
【０１１６】
本発明のこの実施形態は、OSSによって送信されたサービス要求を受信することと、サービス要求およびサービス要求に対応する分析アルゴリズムに従って分析結果を取得することと、少なくとも1つの仮想機能ノードを含むデバイス上にあり、サービス要求に対応する第1の仮想ネットワーク機能ノードに分析結果を送信することと、デバイスが分析結果に従って処理を実施した後にデバイスによってフィードバックされた処理結果を受信することと、処理結果をOSSに送信することとを含むネットワーク管理方法を提供することを、前述の説明から知ることができる。したがって、領域機能エンティティは、OSSに取って代わって、サービス要求およびサービス要求に対応する分析アルゴリズムに従って分析結果を取得する実行機能を実施し、それにより、OSSの負荷が大きく低減される。
【０１１７】
実施形態5
図6は、本発明の一実施形態による、ネットワーク管理方法のフローチャートを示す。方法は実施形態2におけるOSSに適用される。図6に示されたように、方法は以下のステップを含む場合がある。
【０１１８】
201．ユーザのサービス要求を受信する。
【０１１９】
サービス要求は、OSSのユーザ対話インターフェースを使用することによりユーザによって送信される場合があるか、またはユーザのハンドヘルド端末を使用することによりユーザによって送信される場合がある。
【０１２０】
202．領域機能エンティティにサービス要求を送信し、その結果、領域機能エンティティは、サービス要求に対して分析および処理を実施する。
【０１２１】
203．領域機能エンティティによって送信された処理結果を受信する。
【０１２２】
場合によっては、OSSは、ユーザ対話インターフェースを使用することによりユーザに処理結果をさらにフィードバックするか、またはユーザのハンドヘルド端末に処理結果を送信する場合があり、その結果、ユーザは処理結果を選択し見ることができる。
【０１２３】
場合によっては、本発明のこの実施形態では、サービス要求はさらに、相反するネットワークサービス処理によってもたらされる不便を回避し、様々な領域の処理機能が領域機能エンティティによって実装されるときに領域機能エンティティの負荷が増大する問題を回避するために、専門化された領域機能エンティティに送信される必要がある。ネットワーク管理方法は、
サービス要求に従って、サービス要求に対応するネットワークタイプを特定することと、
ネットワークタイプに対応する領域機能エンティティにサービス要求を送信することと
をさらに含む場合がある。
【０１２４】
ネットワークタイプには、固定ネットワーク、モバイルネットワーク、および通信技術の発展に伴って後で追加される別の新しいネットワークが含まれる場合がある。
【０１２５】
サービス要求に対応するネットワークタイプは、サービス要求を送信するユーザが位置するネットワークのネットワークタイプであり得るし、たとえば、モバイルネットワークユーザがサービス要求を送信する場合、サービス要求に対応するネットワークタイプはモバイルネットワークである。
【０１２６】
ネットワークタイプに対応する領域機能エンティティは、このネットワークタイプのネットワークによって送信されるサービス要求に従って関連処理を実施するように特別に構成された領域機能エンティティである。領域機能エンティティは、モバイル領域機能エンティティであり得るか、または固定領域機能エンティティであり得る。モバイル領域機能エンティティは、モバイルネットワークのサービス要求を処理するように構成される。固定領域機能エンティティは、固定ネットワークのサービス要求を処理するように構成される。
【０１２７】
たとえば、サービス要求がモバイルネットワークからである場合、ネットワークタイプはモバイルネットワークである。領域機能エンティティ1はモバイルネットワークサービスのみを処理し、領域機能エンティティ2は固定ネットワークサービスのみを処理するので、このサービス要求に対応する領域機能エンティティは、領域機能エンティティ2ではなく、領域機能エンティティ1である。
【０１２８】
本発明のこの実施形態は、ユーザのサービス要求を受信することと、領域機能エンティティにサービス要求を送信することであって、その結果、領域機能エンティティがサービス要求に対して分析および処理を実施する、送信することと、領域機能エンティティによってフィードバックされた処理結果をユーザにフィードバックすることとを含むネットワーク管理方法を提供することを、前述の説明から知ることができる。したがって、OSSは、サービス要求に対する分析および処理をもはや実施せず、それにより、OSSの負荷が大きく低減される。
【０１２９】
実施形態6
図7は、本発明の一実施形態による、さらに別のネットワーク管理方法のフローチャートを示す。方法は実施形態3におけるネットワーク管理システムに適用される。ネットワーク管理システムは、OSSと、少なくとも1つの領域機能エンティティと、少なくとも1つの仮想機能ノードとを含む。図7に示されたように、方法は以下のステップを含む場合がある。
【０１３０】
301．OSSが、ユーザのサービス要求を受信し、領域機能エンティティにサービス要求を送信する。
【０１３１】
サービス要求は、OSSのユーザ対話インターフェースを使用することによりユーザによって送信される場合があるか、またはユーザのハンドヘルド端末を使用することによりユーザによって送信される場合がある。
【０１３２】
302．領域機能エンティティが、受信されたサービス要求およびサービス要求に対応する分析アルゴリズムに従って分析結果を取得し、サービス要求に対応する第1の仮想ネットワーク機能ノードに分析結果を送信する。
【０１３３】
303．第1の仮想ネットワーク機能ノードが、分析結果に従って関連処理を実施し、領域機能エンティティに処理結果を送信する。
【０１３４】
304．領域機能エンティティが受信された処理結果をOSSにフィードバックする。
【０１３５】
305．OSSがユーザに処理結果をフィードバックする。
【０１３６】
好ましくは、OSSは、ユーザ対話インターフェースを使用することによりユーザに処理結果をフィードバックするか、またはユーザのハンドヘルド端末に処理結果を送信する場合があり、その結果、ユーザは処理結果を選択し見ることができる。
【０１３７】
場合によっては、本発明のこの実施形態では、ネットワーク管理システム20は、少なくとも1つの領域機能エンティティを含む場合があり、相反するネットワークサービス処理によってもたらされる不便を回避し、様々な領域の処理機能が領域機能エンティティによって実装されるときに領域機能エンティティの負荷が増大する問題を回避するために、1つの領域機能エンティティは1つの領域のみのサービス要求を処理する。
【０１３８】
それに対応して、OSSがユーザのサービス要求を受信し、領域機能エンティティにサービス要求を送信することは、
OSSにより、サービス要求に従って、サービス要求に対応するネットワークタイプを特定することと、
ネットワークタイプに対応する領域機能エンティティにサービス要求を送信することと
を含む場合がある。
【０１３９】
ネットワークタイプには、固定ネットワーク、モバイルネットワーク、および通信技術の発展に伴って後で追加される別の新しいネットワークが含まれる場合がある。サービス要求に対応するネットワークタイプは、サービス要求を送信するユーザが位置するネットワークのネットワークタイプであり得るし、たとえば、モバイルネットワークユーザがサービス要求を送信する場合、サービス要求に対応するネットワークタイプはモバイルネットワークである。
【０１４０】
ネットワークタイプに対応する領域機能エンティティは、このネットワークタイプのネットワークによって送信されるサービス要求に従って関連処理を実施するように特別に構成された領域機能エンティティである。領域機能エンティティは、モバイル領域機能エンティティであり得るか、または固定領域機能エンティティであり得る。モバイル領域機能エンティティは、モバイルネットワークのサービス要求を処理するように構成される。固定領域機能エンティティは、固定ネットワークのサービス要求を処理するように構成される。
【０１４１】
たとえば、サービス要求がモバイルネットワークからである場合、ネットワークタイプはモバイルネットワークである。領域機能エンティティ1はモバイルネットワークサービスのみを処理し、領域機能エンティティ2は固定ネットワークサービスのみを処理するので、このサービス要求に対応する領域機能エンティティは、領域機能エンティティ2ではなく、領域機能エンティティ1である。
【０１４２】
場合によっては、本発明において提供されるネットワーク管理システム内の仮想機能ノードは、少なくとも1つの仮想ネットワーク機能（virtualized network function、略してVNF）と、ネットワーク機能仮想化基盤（NFV infrastructure、略してNFVI）と、ネットワーク機能仮想化管理および編成（NFV Management and Orchestration、略してNFV MANO）と、通信技術の発展に伴って後で追加されるいくつかの新しい仮想機能ノードとを含む場合がある。NFV MANOは、3つの部分：ネットワーク機能仮想化編成器（NFV Orchestrator、略してNFVO）、仮想ネットワーク機能マネージャ（VNF Manager、略してVNFM）、および仮想基盤マネージャ（Virtualised Infrastructure Manager、略してVIM）を含む場合がある。
【０１４３】
加えて、領域機能エンティティとVNFとの間の対話を実装するために、ネットワーク管理システムは、領域機能エンティティとVNFとの間に要素マネージャ（element manager、略してEM）をさらに含む必要がある。各EMは1つまたは複数のVNFを管理する。代替として、EMは含まれない場合があり、その結果、領域機能エンティティとVNFは互いに直接接続される。このことは本発明のこの実施形態では限定されない。この明細書では、ネットワーク管理システムは、領域機能エンティティとVNFとの間にEMが存在する例を使用することによって記載されるにすぎない。
【０１４４】
ネットワーク管理システムがいくつかの機能ノード：EM、VNF、NFVI、およびNFV MANOを含むとき、ネットワーク管理システムでは、OSSは領域機能エンティティに接続される場合があり、領域機能エンティティはEMおよびNFV MANOに接続される場合があり、EMはVNFに接続される場合があり、VNFはNFVI、EM、およびVNFMに接続される場合があり、NFV MANOはEM、VNF、およびNFVIに個別に接続される場合がある。VNF、NFVI、およびNFV MANOは、図1に示された既存のNFVアーキテクチャ内のVNF、NFVI、およびNFV MANOの機能と同じ機能を有する詳細は本明細書では再び記載されない。
【０１４５】
以下で、サービス要求がビデオ性能データの要求、ネットワークサービス（network service、略してNS）インスタンス化の要求、またはネットワークプランニングの要求であるときの、OSS、領域機能エンティティ、VNF、NFVI、およびNFV MANOの間の対話を詳細に個別に記載する。
【０１４６】
図7Aは、ネットワークサービス要求がビデオ性能データの要求であるときの、本発明において提供されるネットワーク管理方法のフローチャートを示す。図7Aに示されたように、方法は以下のステップを含む場合がある。
【０１４７】
301A．OSSがユーザによって送信されたビデオ性能データの要求を受信する。
【０１４８】
ビデオ性能データの要求は、モバイルネットワークからであり、モバイルネットワークのユーザのビデオ体験分析データを取得することを要求するために使用される。
【０１４９】
302A．OSSがモバイル領域機能エンティティにビデオ性能データの要求を送信する。
【０１５０】
303A．モバイル領域機能エンティティが、ビデオ性能を表すことができるパラメータを取得するために、分析アルゴリズムに従って分析を実施する。
【０１５１】
パラメータは、ユーザのビデオ体験を正確に表すことができ、初期バッファ遅延、中断時間の量、または中断遅延のうちの少なくとも1つを含む。
【０１５２】
304A．モバイル領域機能エンティティが、EMによって送信され、パラメータに対応するサービスデータを受信する。
【０１５３】
好ましくは、モバイル領域機能エンティティは、ビデオ性能データの要求およびパラメータを含む分析結果をEMに送信し、EMによって管理されたVNFから、パラメータに従いEMによって取得されたサービスデータを受信することができる。
【０１５４】
代替として、モバイル領域機能エンティティは、パラメータに対応し、EMによって収集され率先して報告されたサービスデータを受信する。
【０１５５】
具体的には、EMとVNFとの間のデータ取得プロセスは既存のプロセスである。詳細は本発明では記載されない。
【０１５６】
305A．モバイル領域機能エンティティが、受信されたサービスデータを処理し、次いで、処理されたサービスデータをOSSに送信し、その結果、OSSは処理されたサービスデータをユーザにフィードバックする。
【０１５７】
受信されたサービスデータが処理されることは、ユーザのビデオ体験を直接表すことができるデータまたは動的画像を形成するために、サービスデータについて統計データを収集することを含む場合がある。たとえば、サービスデータは大量の中断遅延を含む。この場合、データは、その中断遅延が比較的高いか低いかなどであり、ユーザのビデオ体験を直接表すデータに変換される場合がある。
【０１５８】
図7Bは、ネットワークサービス要求がNSインスタンス化の要求であるときの、本発明において提供されるネットワーク管理方法のフローチャートを示す。図7Bに示されたように、方法は以下のステップを含む場合がある。
【０１５９】
301B．OSSがユーザによって送信されたNSインスタンス化の要求を受信する。
【０１６０】
NSインスタンス化の要求は、モバイルネットワークからであり、遅延を減らすことまたはユーザ体験を高めることなどの、ユーザの特定の要件を満たすために、対応するリソースをユーザに割り振ることを要求するために使用される。
【０１６１】
302B．OSSがモバイル領域機能エンティティにNSインスタンス化の要求を送信する。
【０１６２】
303B．モバイル領域機能エンティティが、分析アルゴリズムに従って、NSインスタンス化に必要なリソースを分析し、対応する構成ポリシーを実行する。
【０１６３】
304B．モバイル領域機能エンティティが、NSインスタンス化の要求および構成情報をNFV MANO内のNFVOに送信する。
【０１６４】
305B．NFVOが構成情報に従ってNSインスタンス化を実施する。
【０１６５】
NSインスタンス化のプロセスは従来技術である。詳細は本明細書では記載されない。
【０１６６】
306B．NFVOがNSインスタンス化成功メッセージをモバイル領域機能エンティティに送信し、その結果、モバイル領域機能エンティティはNSインスタンス化成功メッセージをOSSに送信する。
【０１６７】
図7Cは、ネットワークサービス要求がネットワークプランニングの要求であるときの、本発明において提供されるネットワーク管理方法のフローチャートを示す。図7Cに示されたように、方法は以下のステップを含む場合がある。
【０１６８】
301C．OSSがユーザによって送信されたネットワークプランニングの要求を受信する。
【０１６９】
ネットワークプランニングの要求は、モバイルネットワークに対するネットワークプランニングの要求であり得るし、ネットワーク管理システムに新しいネットワーク要素ノードを追加すること、または、容量などのネットワーク管理システム内の既存のネットワークノードの特徴を修正することを要求するために使用される。
【０１７０】
302C．OSSがモバイル領域機能エンティティにネットワークプランニングの要求を送信する。
【０１７１】
303C．モバイル領域機能エンティティが、分析アルゴリズムに従って、ネットワークプランニングの要求に必要なリソースを分析し、対応する構成ポリシーを実行する。
【０１７２】
たとえば、ネットワークプランニングの要求が新しいネットワーク要素ノードを追加することである場合、構成ポリシーは、ネットワーク要素ノードを形成する関連リソースを構成し、構成に従って形成されたネットワーク要素ノードがエンティティノードの機能と同じ機能を有することを可能にすることである。
【０１７３】
304C．モバイル領域機能エンティティが、ネットワークプランニングの要求および構成情報をNFV MANO内のNFVOに送信する。
【０１７４】
305C．NFVOが構成情報に従ってネットワークプランニングを実施する。
【０１７５】
ネットワークプランニングのプロセスは従来技術である。詳細は本明細書では記載されない。
【０１７６】
306C．NFVOがネットワークプランニング成功メッセージをモバイル領域機能エンティティに送信し、その結果、モバイル領域機能エンティティはネットワークプランニング成功メッセージをOSSに送信する。
【０１７７】
この実施形態において提供されたネットワーク管理方法では、領域機能エンティティが対応するアルゴリズムを使用して、サービス要求に対して分析および処理を実施し、その結果、OSSは受信されたサービス要求に対してアルゴリズム分析をもはや実施せず、それにより、OSSの負荷が大きく低減されることを、前述の説明から知ることができる。
【０１７８】
実施形態7
図8は、本発明の一実施形態による、領域機能エンティティ401の構造図である。領域機能エンティティは、事業者の内部管理インターフェースを使用することによって仮想機能ノードに接続される場合があり、警告、トラフィック測定、構成管理、またはネットワークプランニングなどの、各領域機能エンティティに対応するタイプのネットワークのネットワーク管理機能に関与する。
【０１７９】
図8に示されたように、領域機能エンティティ401は、通信インターフェース4011と、プロセッサ4012と、メモリ4013と、これらの装置間の接続および相互通信を実装するように構成された少なくとも1つの通信バス4014とを含む場合がある。
【０１８０】
通信インターフェース4011は、ハードウェア、たとえば、ユーザ対話インターフェースによって実装されたインターフェースである。通信インターフェース4011は、通信インターフェースが位置するデバイスの入力機能および出力機能を実装するように構成され、インターフェース上またはインターフェースの近くでユーザによって実施されたタッチ動作（たとえば、ユーザは、指またはスタイラスなどの任意の適切な物体またはアクセサリを使用して、通信インターフェース上で動作を実施する）を収集し、あらかじめ設定されたプログラムに従って対応する接続装置を駆動することができ、ユーザによって入力された情報またはユーザに提供された情報を送信するようにさらに構成される場合がある。代替として、通信インターフェース4011は、ソフトウェアによって実装されたインターフェースであり得る。このことは本発明のこの実施形態では限定されない。
【０１８１】
プロセッサ4012は、中央処理装置（central processing unit、略してCPU）であり得る。
【０１８２】
メモリ4013は、揮発性メモリ（volatile memory）、たとえば、ランダムアクセスメモリ（random−access memory、略してRAM）、不揮発性メモリ（non−volatile memory）、たとえば、読取り専用メモリ（read−only memory、略してROM）、フラッシュメモリ（flash memory）、ハードディスクドライブ（hard disk drive、略してHDD）、もしくは半導体ドライブ（solid−state drive、略してSSD）、または前述のタイプのメモリの組合せであり得る。メモリ4013は、メモリが位置するデバイス上のプロセッサに命令およびデータを供給するように構成される。
【０１８３】
通信インターフェース4011は、OSSによって送信されたサービス要求を受信するように構成される。
【０１８４】
プロセッサ4012は、サービス要求およびサービス要求に対応する分析アルゴリズムに従って分析結果を取得するように構成される。
【０１８５】
通信インターフェース4011は、少なくとも1つの仮想機能ノードを含むデバイス上にあり、サービス要求に対応する第1の仮想ネットワーク機能ノードに分析結果を送信することと、
デバイスが分析結果に従って処理を実施した後にデバイスによってフィードバックされた処理結果を受信することと、
処理結果をOSSに送信することと
を行うようにさらに構成される。
【０１８６】
本発明のこの実施形態では、領域機能エンティティは、様々な分析アルゴリズムを使用して様々なサービス要求のための処理を実施することに留意されたい。分析アルゴリズムは、OSSによって受信されたサービス要求に対して、既存のNFVアーキテクチャ内でOSSによって使用されるアルゴリズムであり得るか、または通信技術の発展に伴って後で導入されるアルゴリズムであり得る。
【０１８７】
たとえば、サービス要求がビデオ性能データの要求である場合、サービス要求に対応する分析アルゴリズムは、ビデオ性能を表す（初期バッファ遅延、中断時間の量、および中断遅延などの）特定のパラメータを正確に取得するために使用することができ、ビデオ性能データが受信された後に事前分析を実施するために使用することができるアルゴリズムであり得るし、たとえば、平均オピニオンスコア（mean opinion score、MOS）アルゴリズムは、カスタマ体験のスコアを計算してカスタマ体験を表すために使用され、カスタマ体験のスコアはOSSにフィードバックされる。サービス要求が新しい仮想ネットワーク要素ノードを追加することに対する要求である場合、サービス要求に対応する分析アルゴリズムは、ネットワーク要素エンティティの機能を実装するために組み合わされる必要がある（計算リソース、記憶リソース、およびネットワークリソースなどの）仮想リソースの量を定量的に計算するために使用することができるアルゴリズムである。
【０１８８】
場合によっては、本発明のこの実施形態では、領域機能エンティティは、相反するネットワークサービス処理によってもたらされる不便を回避するために、1つの領域のみのサービス要求を処理し、様々な領域の処理機能が領域機能エンティティによって実装されるときに領域機能エンティティの負荷が増大する問題を回避する。領域機能エンティティは、モバイル領域機能エンティティであり得るか、固定領域機能エンティティであり得るか、または、通信技術の発展に伴って追加される別の新しい領域の領域機能エンティティであり得る。
【０１８９】
モバイル領域機能エンティティは、モバイルネットワークのサービス要求を処理するように構成される。
【０１９０】
固定領域機能エンティティは、固定ネットワークのサービス要求を処理するように構成される。
【０１９１】
本発明のこの実施形態は、OSSによって送信されたサービス要求を受信することと、サービス要求およびサービス要求に対応する分析アルゴリズムに従って分析結果を取得することと、少なくとも1つの仮想機能ノードを含むデバイス上にあり、サービス要求に対応する第1の仮想ネットワーク機能ノードに分析結果を送信することと、デバイスが分析結果に従って処理を実施した後にデバイスによってフィードバックされた処理結果を受信することと、処理結果をOSSに送信することとを行うように構成された領域機能エンティティを提供することを、前述の説明から知ることができる。したがって、領域機能エンティティは、OSSに取って代わって、サービス要求およびサービス要求に対応する分析アルゴリズムに従って分析結果を取得する実行機能を実施し、それにより、OSSの負荷が大きく低減される。
【０１９２】
実施形態8
図9は、本発明の一実施形態による、OSS402の構造図である。従来のネットワーク管理ノードとは異なり、OSS402は、警告、トラフィック測定、構成管理、またはネットワークプランニングなどの、ネットワークのネットワーク管理機能にもはや関与しないが、事業者の内部管理インターフェースを使用することによって領域機能エンティティに接続される。OSS402は、受信されたサービス要求を対応する領域機能エンティティに送信し、その結果、領域機能エンティティは、サービス要求に従って関連する処理機能を実施する。
【０１９３】
図9に示されたように、OSS402は、通信インターフェース4021と、プロセッサ4022と、メモリ4023と、これらの装置間の接続および相互通信を実装するように構成された少なくとも1つの通信バス4024とを含む場合がある。
【０１９４】
通信インターフェース4021は、ハードウェア、たとえば、ユーザ対話インターフェースによって実装されたインターフェースである。通信インターフェース4021は、通信インターフェースが位置するデバイスの入力機能および出力機能を実装するように構成され、インターフェース上またはインターフェースの近くでユーザによって実施されたタッチ動作（たとえば、ユーザは、指またはスタイラスなどの任意の適切な物体またはアクセサリを使用して、通信インターフェース上で動作を実施する）を収集し、あらかじめ設定されたプログラムに従って対応する接続装置を駆動することができ、ユーザによって入力された情報またはユーザに提供された情報を送信するようにさらに構成される場合がある。代替として、通信インターフェース4021は、ソフトウェアによって実装されたインターフェースであり得る。このことは本発明のこの実施形態では限定されない。
【０１９５】
プロセッサ4022は、中央処理装置（central processing unit、略してCPU）であり得る。
【０１９６】
メモリ4023は、揮発性メモリ（volatile memory）、たとえば、ランダムアクセスメモリ（random−access memory、略してRAM）、不揮発性メモリ（non−volatile memory）、たとえば、読取り専用メモリ（read−only memory、略してROM）、フラッシュメモリ（flash memory）、ハードディスクドライブ（hard disk drive、略してHDD）、もしくは半導体ドライブ（solid−state drive、略してSSD）、または前述のタイプのメモリの組合せであり得る。メモリ4023は、メモリが位置するデバイス上のプロセッサに命令およびデータを供給するように構成される。
【０１９７】
通信インターフェース4021は、ユーザのサービス要求を受信することと、
領域機能エンティティにサービス要求を送信することであって、その結果、領域機能エンティティがサービス要求に対して分析および処理を実施する、送信することと、
領域機能エンティティによってフィードバックされた処理結果を受信し、処理結果をユーザにフィードバックすることと
を行うように構成される。
【０１９８】
サービス要求は、OSS202のユーザ対話インターフェースを使用することによりユーザによって送信される場合があるか、または
ユーザのハンドヘルド端末を使用することによりユーザによって送信される場合がある。
【０１９９】
場合によっては、通信インターフェース4021は、ユーザ対話インターフェースを使用することによりユーザに処理結果をフィードバックするか、または
ユーザのハンドヘルド端末に処理結果を送信する場合があり、その結果、ユーザは処理結果を選択し見ることができる。
【０２００】
場合によっては、本発明のこの実施形態では、サービス要求はさらに、相反するネットワークサービス処理によってもたらされる不便を回避し、様々な領域の処理機能が領域機能エンティティによって実装されるときに領域機能エンティティの負荷が増大する問題を回避するために、専門化された領域機能エンティティに送信される必要がある。具体的な実装形態は以下の通りである。
【０２０１】
プロセッサ4022は、サービス要求に従って、サービス要求に対応するネットワークタイプを特定するように構成される。
【０２０２】
通信インターフェース4021は、具体的に、ネットワークタイプに対応する領域機能エンティティにサービス要求を送信するように構成される。
【０２０３】
ネットワークタイプには、固定ネットワーク、モバイルネットワーク、および通信技術の発展に伴って後で追加される別の新しいネットワークが含まれる場合がある。サービス要求に対応するネットワークタイプは、サービス要求を送信するユーザが位置するネットワークのネットワークタイプであり得るし、たとえば、モバイルネットワークユーザがサービス要求を送信する場合、サービス要求に対応するネットワークタイプはモバイルネットワークである。
【０２０４】
ネットワークタイプに対応する領域機能エンティティは、このネットワークタイプのネットワークによって送信されるサービス要求に従って関連処理を実施するように特別に構成された領域機能エンティティである。領域機能エンティティは、モバイル領域機能エンティティであり得るか、または固定領域機能エンティティであり得る。モバイル領域機能エンティティは、モバイルネットワークのサービス要求を処理するように構成される。固定領域機能エンティティは、固定ネットワークのサービス要求を処理するように構成される。
【０２０５】
たとえば、サービス要求がモバイルネットワークからである場合、ネットワークタイプはモバイルネットワークである。領域機能エンティティ1はモバイルネットワークサービスのみを処理し、領域機能エンティティ2は固定ネットワークサービスのみを処理するので、このサービス要求に対応する領域機能エンティティは、領域機能エンティティ2ではなく、領域機能エンティティ1である。
【０２０６】
本発明のこの実施形態は、ユーザのサービス要求を受信することと、領域機能エンティティにサービス要求を送信することであって、その結果、領域機能エンティティがサービス要求に対して分析および処理を実施する、送信することと、領域機能エンティティによってフィードバックされた処理結果をユーザにフィードバックすることとを行うように構成されたOSSを提供することを、前述の説明から知ることができる。したがって、OSSは、サービス要求に対する分析および処理をもはや実施せず、それにより、OSSの負荷が大きく低減される。
【０２０７】
実施形態9
図10は、本発明の一実施形態による、ネットワーク管理システム40のアーキテクチャの図を示す。システム40は図6における方法を実施するように構成される。図10に示されたように、システム40は、OSS402と、領域機能エンティティ401と、少なくとも1つの仮想機能ノードとを含む場合がある。
【０２０８】
OSS402は、実施形態7におけるOSS402の機能と同じ機能を有する。従来のネットワーク管理ノードとは異なり、OSS402は、警告、トラフィック測定、構成管理、またはネットワークプランニングなどの、ネットワークのネットワーク管理機能にもはや関与しないが、事業者の内部管理インターフェースを使用することによって領域機能エンティティに接続される。OSS402は、受信されたサービス要求を対応する領域機能エンティティに送信し、その結果、領域機能エンティティは、サービス要求に従って関連する処理機能を実施する。
【０２０９】
領域機能エンティティ401は、実施形態8における領域機能エンティティ401の機能と同じ機能を有する。領域機能エンティティ401は、事業者の内部管理インターフェースを使用することによって仮想機能ノードに接続される場合があり、警告、トラフィック測定、構成管理、またはネットワークプランニングなどの、各領域機能エンティティに対応するタイプのネットワークのネットワーク管理機能に関与する。
【０２１０】
仮想機能ノードは、ネットワークサービスを提供するために事業者によって使用される任意の共有デバイス上に位置する場合があり、たとえば、仮想機能ノードは、共有サーバ、ストレージデバイス、またはスイッチ上に位置する。仮想機能ノードは、ルータ、ファイアウォール、負荷分散装置、スイッチ、またはサーバなどの、標準仮想化技術を使用することによって取得され、データセンター内、ネットワークノード上、またはエンドユーザの店舗上に展開された、様々な情報基盤デバイスの機能と同じ機能を有するノードである。仮想機能ノードは、もはやOSSと直接対話しないが、ユーザに様々なサービスを提供するために、事業者の内部管理インターフェースを使用することによって領域機能エンティティ401に接続される。
【０２１１】
OSS402は、ユーザのサービス要求を受信し、領域機能エンティティ401にサービス要求を送信するように構成される。
【０２１２】
サービス要求は、OSS402のユーザ対話インターフェースを使用することによりユーザによって送信される場合があるか、またはユーザのハンドヘルド端末を使用することによりユーザによってOSS402に送信される場合がある。
【０２１３】
領域機能エンティティ401は、OSS402によって送信されたサービス要求を受信し、サービス要求およびサービス要求に対応する分析アルゴリズムに従って分析結果を取得し、サービス要求に対応する第1の仮想ネットワーク機能ノードに分析結果を送信するように構成される。
【０２１４】
送信元に応じて、サービス要求は、モバイルネットワークサービス要求、固定ネットワークサービス要求、および別のネットワークサービス要求に分類される場合がある。
【０２１５】
本発明のこの実施形態では、領域機能エンティティは、様々な分析アルゴリズムを使用して様々なサービス要求のための処理を実施することに留意されたい。分析アルゴリズムは、OSSによって受信されたサービス要求に対して、既存のNFVアーキテクチャ内でOSSによって使用されるアルゴリズムであり得るか、または通信技術の発展に伴って後で導入されるアルゴリズムであり得る。
【０２１６】
たとえば、サービス要求がビデオ性能データの要求である場合、サービス要求に対応する分析アルゴリズムは、ビデオ性能を表す（初期バッファ遅延、中断時間の量、および中断遅延などの）特定のパラメータを正確に取得するために使用することができ、ビデオ性能データが受信された後に前提分析を実施するために使用することができるアルゴリズムであり得るし、たとえば、平均オピニオンスコア（mean opinion score、MOS）アルゴリズムは、カスタマ体験のスコアを計算してカスタマ体験を表すために使用され、カスタマ体験のスコアはOSSにフィードバックされる。サービス要求が新しい仮想ネットワーク要素ノードを追加することに対する要求である場合、サービス要求に対応する分析アルゴリズムは、ネットワーク要素エンティティの機能を実装するために組み合わされる必要がある（計算リソース、記憶リソース、およびネットワークリソースなどの）仮想リソースの量を定量的に計算するために使用することができるアルゴリズムである。
【０２１７】
サービス要求に対応する第1の仮想ネットワーク機能ノードは、分析結果に従って関連処理を実施し、その処理結果がユーザのサービス要求を満たすことができる、仮想ネットワーク機能ノードであり得る。
【０２１８】
第1の仮想ネットワーク機能ノードは、領域機能エンティティ401によって送信された分析結果に従って関連処理を実施し、領域機能エンティティ401に処理結果を送信するように構成される。
【０２１９】
様々な分析結果に対する関連処理は、対応するノードを見つけることおよび関連情報を収集することなどの従来技術であり得る。詳細は本明細書では記載されない。
【０２２０】
たとえば、ユーザがビデオ性能データを要求した場合、処理結果は、分析結果内の（初期バッファ遅延、中断時間の量、および中断遅延などの）いくつかの性能パラメータのデータを含み、または、サービス要求が新しい仮想ネットワーク要素ノードを追加することに対する要求である場合、処理結果は以下の通りである：分析結果に従って仮想リソースがそれに応じて組み合わされる。
【０２２１】
領域機能エンティティ401は、第1の仮想ネットワーク機能ノードによって送信された処理結果を受信し、処理結果をOSS402にフィードバックするようにさらに構成される。
【０２２２】
さらに、OSS402は、
ユーザ対話インターフェースを使用することによりユーザに処理結果をフィードバックすること、またはユーザのハンドヘルド端末に処理結果を送信することであって、その結果、ユーザが処理結果を選択し見ることができる、送信すること
を行うようにさらに構成される場合がある。
【０２２３】
場合によっては、本発明のこの実施形態では、ネットワーク管理システム40は、少なくとも1つの領域機能エンティティを含む場合があり、相反するネットワークサービス処理によってもたらされる不便を回避し、様々な領域の処理機能が領域機能エンティティによって実装されるときに領域機能エンティティの負荷が増大する問題を回避するために、1つの領域機能エンティティは1つの領域のみのサービス要求を処理する。
【０２２４】
それに対応して、OSS402は、具体的に、サービス要求に従って、サービス要求に対応するネットワークタイプを特定し、ネットワークタイプに対応する領域機能エンティティにサービス要求を送信するように構成される。
【０２２５】
ネットワークタイプには、固定ネットワーク、モバイルネットワーク、および通信技術の発展に伴って後で追加される別の新しいネットワークが含まれる場合がある。サービス要求に対応するネットワークタイプは、サービス要求を送信するユーザが位置するネットワークのネットワークタイプであり得るし、たとえば、モバイルネットワークユーザがサービス要求を送信する場合、サービス要求に対応するネットワークタイプはモバイルネットワークである。
【０２２６】
ネットワークタイプに対応する領域機能エンティティは、このネットワークタイプのネットワークによって送信されるサービス要求に従って関連処理を実施するように特別に構成された領域機能エンティティである。領域機能エンティティは、モバイル領域機能エンティティであり得るか、または固定領域機能エンティティであり得る。モバイル領域機能エンティティは、モバイルネットワークのサービス要求を処理するように構成される。固定領域機能エンティティは、固定ネットワークのサービス要求を処理するように構成される。
【０２２７】
たとえば、サービス要求がモバイルネットワークからである場合、ネットワークタイプはモバイルネットワークである。領域機能エンティティ1はモバイルネットワークサービスのみを処理し、領域機能エンティティ2は固定ネットワークサービスのみを処理するので、このサービス要求に対応する領域機能エンティティは、領域機能エンティティ2ではなく、領域機能エンティティ1である。
【０２２８】
場合によっては、本発明において提供されるネットワーク管理システム内の仮想機能ノードは、少なくとも1つの仮想ネットワーク機能（virtualized network function、略してVNF）と、ネットワーク機能仮想化基盤（NFV infrastructure、略してNFVI）と、ネットワーク機能仮想化管理および編成（NFV Management and Orchestration、略してNFV MANO）と、通信技術の発展に伴って後で追加されるいくつかの新しい仮想機能ノードとを含む場合がある。NFV MANOは、3つの部分：ネットワーク機能仮想化編成器（NFV Orchestrator、略してNFVO）、仮想ネットワーク機能マネージャ（VNF Manager、略してVNFM）、および仮想基盤マネージャ（Virtualised Infrastructure Manager、略してVIM）を含む場合がある。
【０２２９】
加えて、領域機能エンティティとVNFとの間の対話を実装するために、ネットワーク管理システムは、領域機能エンティティとVNFとの間に要素マネージャ（element manager、略してEM）をさらに含む必要がある。各EMは1つまたは複数のVNFを管理する。代替として、EMは含まれない場合があり、その結果、領域機能エンティティとVNFは互いに直接接続される。このことは本発明のこの実施形態では限定されない。この明細書では、ネットワーク管理システムは、領域機能エンティティとVNFとの間にEMが存在する例を使用することによって記載されるにすぎない。
【０２３０】
場合によっては、ネットワーク管理システムがEMと、VNFと、NFVIと、NFV MANOとを含むとき、ネットワーク管理システム40のアーキテクチャは以下の通りであり得る。
【０２３１】
OSS402は領域機能エンティティ401に接続される。領域機能エンティティはEMおよびNFV MANOに接続される。EMはVNFに接続される。VNFはNFVIに接続される。NFV MANOはEM、VNF、およびNFVIに個別に接続される。EM、VNF、NFVI、およびNFV MANOは、図1に示された既存のNFVアーキテクチャ内のEM、VNF、NFVI、およびNFV MANOの機能と同じ機能を有する。詳細は本明細書では再び記載されない。
【０２３２】
以下で、サービス要求がビデオ性能データの要求、ネットワークサービス（network service、略してNS）インスタンス化の要求、またはネットワークプランニングの要求であるときの、OSS、領域機能エンティティ、EM、VNF、NFVI、およびNFV MANOの具体的な機能を個別に記載する。
【０２３３】
（1）ネットワークサービス要求がビデオ性能データの要求である。
【０２３４】
OSS402は、ユーザによって送信されたビデオ性能データの要求を受信し、モバイル領域機能エンティティにビデオ性能データの要求を送信するように構成される。
【０２３５】
ビデオ性能データの要求は、モバイルネットワークからであり、モバイルネットワークのビデオ体験分析データを取得することを要求するために使用される。
【０２３６】
モバイル領域機能エンティティ401は、ビデオ性能を表すことができるパラメータを取得するために、分析アルゴリズムに従って分析を実施するように構成される。
【０２３７】
パラメータは、ユーザのビデオ体験を正確に表すことができ、初期バッファ遅延、中断時間の量、または中断遅延のうちの少なくとも1つを含む。
【０２３８】
モバイル領域機能エンティティ401は、EMによって送信され、パラメータに対応するサービスデータを受信し、受信されたサービスデータを処理し、次いで、処理されたサービスデータをOSS402に送信するようにさらに構成され、その結果、OSS402は処理されたサービスデータをユーザにフィードバックする。
【０２３９】
具体的には、モバイル領域機能エンティティ401は、ビデオ性能データの要求およびパラメータを含む分析結果をEMに送信し、EMによって管理されたVNFから、パラメータに従いEMによって取得されたサービスデータを受信するか、またはパラメータに対応し、EMによって収集され率先して報告されたパラメータに対応するサービスデータを受信するように構成される場合がある。
【０２４０】
EMとVNFとの間のデータ取得プロセスは既存のプロセスである。詳細は本発明では記載されない。受信されたサービスデータが処理されることは、ユーザのビデオ体験を直接表すことができるデータまたは動的画像を形成するために、サービスデータについて統計データを収集することを含む場合がある。たとえば、サービスデータは大量の中断遅延を含む。この場合、データは、その中断遅延が比較的高いか低いかなどであり、ユーザのビデオ体験を直接表すデータに変換される場合がある。
【０２４１】
（2）ネットワークサービス要求がNSインスタンス化の要求である。
【０２４２】
OSS402は、ユーザによって送信されたNSインスタンス化の要求を受信し、モバイル領域機能エンティティ401にNSインスタンス化の要求を送信するように構成される。
【０２４３】
NSインスタンス化の要求は、モバイルネットワークからであり、遅延を減らすことまたはユーザ体験を高めることなどの、ユーザの特定の要件を満たすために、対応するリソースをユーザに割り振ることを要求するために使用される。
【０２４４】
モバイル領域機能エンティティ401は、分析アルゴリズムに従って、NSインスタンス化に必要なリソースを分析し、対応する構成ポリシーを実行し、NSインスタンス化の要求および構成情報をNFV MANO内のNFVOに送信するように構成される。
【０２４５】
NFVOは、構成情報に従ってNSインスタンス化を実施し、NSインスタンス化成功メッセージを領域機能エンティティに送信するように構成され、その結果、領域機能エンティティはNSインスタンス化成功メッセージをOSSに送信する。
【０２４６】
NSインスタンス化のプロセスは従来技術である。詳細は本明細書では記載されない。
【０２４７】
（3）ネットワークサービス要求がネットワークプランニングの要求である。
【０２４８】
OSS402は、ユーザによって送信されたネットワークプランニングの要求を受信し、モバイル領域機能エンティティ401にネットワークプランニングの要求を送信するように構成される。
【０２４９】
ネットワークプランニングの要求は、モバイルネットワークに対するネットワークプランニングの要求であり得るし、ネットワーク管理システムに新しいネットワーク要素ノードを追加すること、または、容量などのネットワーク管理システム内の既存のネットワークノードの特徴を修正することを要求するために使用される。
【０２５０】
モバイル領域機能エンティティ401は、分析アルゴリズムに従って、ネットワークプランニングの要求に必要なリソースを分析し、対応する構成ポリシーを実行し、ネットワークプランニングの要求および構成情報をNFV MANO内のNFVOに送信するように構成される。
【０２５１】
たとえば、ネットワークプランニングの要求が新しいネットワーク要素ノードを追加することである場合、構成ポリシーは、ネットワーク要素ノードを形成する関連リソースを構成し、構成に従って形成されたネットワーク要素ノードがエンティティノードの機能と同じ機能を有することを可能にすることである。
【０２５２】
NFVOは、構成情報に従ってネットワークプランニングを実施し、ネットワークプランニング成功メッセージを領域機能エンティティに送信するように構成され、その結果、領域機能エンティティはネットワークプランニング成功メッセージをOSSに送信する。
【０２５３】
ネットワークプランニングのプロセスは従来技術である。詳細は本明細書では記載されない。
【０２５４】
既存のNFVアーキテクチャと比較して、この実施形態ではネットワーク管理アーキテクチャに領域機能エンティティが追加されることを、前述の説明から知ることができる。領域機能エンティティは、対応するアルゴリズムを使用してサービス要求を分析し、その結果、OSSは受信されたサービス要求に対するアルゴリズム分析をもはや実施せず、それにより、OSSの負荷が大きく低減される。
【０２５５】
既存のNFVアーキテクチャと比較して、この実施形態におけるネットワーク管理システムでは、サービス要求を受信した後、OSSは、対応する分析アルゴリズムに従ってサービス要求に対して分析および処理を実施せず、それにより、OSSの負荷が大きく低減されることを、前述の説明から知ることができる。
【０２５６】
便利で簡潔な説明のために、前述のユニットおよびシステムの詳細な動作プロセスについては、前述の方法実施形態内の対応するプロセスに対して参照を行うことができ、本明細書では詳細は再び記載されないことは、当業者によって明確に理解されよう。
【０２５７】
本出願において提供されたいくつかの実施形態では、開示されたシステム、デバイス、および方法は他の方式で実装される場合があることを理解されたい。たとえば、記載されたデバイス実施形態は一例にすぎない。たとえば、ユニット分割は論理的な機能分割にすぎず、実際の実装形態では他の分割であり得る。たとえば、複数のユニットまたは構成要素は組み合わされるか、もしくは別のシステムに統合される場合があり、または、いくつかの特徴は無視されるか、もしくは実施されない場合がある加えて、表示または説明された相互結合または直接結合または通信接続は、いくつかのインターフェースを使用することによって実装される場合がある。装置間またはユニット間の間接結合または通信接続は、電気、機械、または他の形態で実装される場合がある。
【０２５８】
別々の部分として記載されたユニットは、物理的に分かれている場合も、分かれていない場合もあり、ユニットとして表示された部分は、物理ユニットである場合も、そうでない場合もあり、1つの場所に位置する場合があるか、または複数のネットワークユニット上に分散される場合がある。ユニットの一部またはすべては、実施形態の解決策の目的を達成するために、実際の必要に応じて選択される場合がある。
【０２５９】
加えて、本発明の実施形態における機能ユニットは、1つの処理ユニットに統合される場合があり、または、ユニットの各々は物理的に単独で存在する場合があり、または2つ以上のユニットは1つのユニットに統合される場合がある。統合ユニットは、ハードウェアの形態で実装される場合があるか、またはソフトウェア機能ユニットに加えてハードウェアの形態で実装される場合がある。
【０２６０】
前述の統合ユニットがソフトウェア機能ユニットの形態で実装されるとき、統合ユニットはコンピュータ可読記憶媒体に記憶される場合がある。ソフトウェア機能ユニットは、記憶媒体に記憶され、本発明の実施形態に記載された方法のステップのうちのいくつかを実施するように、（パーソナルコンピュータ、サーバ、またはネットワークデバイスであり得る）コンピュータデバイスに命令するためのいくつかの命令を含む。前述の記憶媒体には、USBフラッシュドライブ、リムーバブルハードディスク、読取り専用メモリ（Read−Only Memory、ROM）、ランダムアクセスメモリ（Random Access Memory、RAM）、磁気ディスク、または光ディスクなどの、プログラムコードを記憶することができる任意の媒体が含まれる。
【０２６１】
当業者は、実施形態における方法のステップのうちのすべてまたは一部が、（プロセッサなどの）関連するハードウェアに命令するプログラムによって実装される場合があることを理解することができる。プログラムは、コンピュータ可読記憶媒体に記憶される場合がある。記憶媒体には、読取り専用メモリ、ランダムアクセスメモリ、磁気ディスク、または光ディスクが含まれる場合がある。
【０２６２】
最後に、前述の実施形態は本発明の技術的解決策を記載するためのものにすぎず、本発明を限定するためのものではないことに留意されたい。前述の実施形態を参照して本発明が詳細に記載されたが、当業者は、本発明の実施形態の技術的解決策の趣旨および範囲から逸脱することなく、前述の実施形態に記載された技術的解決策に修正をさらに行うか、またはそれらのいくつかの技術的特徴に同等の置換を行うことができることを理解するべきである。
【符号の説明】
【０２６３】
20  ネットワーク管理システム
201  領域機能エンティティ
2011  受信ユニット
2012  分析ユニット
2013  送信ユニット
202  OSS
2021  受信ユニット
2022  送信ユニット
2023  特定ユニット
2031  EM
2032  VNF
2033  NFVI
2034  NFV MANO
40  ネットワーク管理システム
401  領域機能エンティティ
4011  通信インターフェース
4012  プロセッサ
4013  メモリ
4014  通信バス
402  OSS
4021  通信インターフェース
4022  プロセッサ
4023  メモリ
4024  通信バス
【図１】
0006538192.tif 000002
【図２】
0006538192.tif 000003
【図３】
0006538192.tif 000004
【図３Ａ】
0006538192.tif 000005
【図４】
0006538192.tif 000006
【図４Ａ】
0006538192.tif 000007
【図５】
0006538192.tif 000008
【図６】
0006538192.tif 000009
【図７】
0006538192.tif 000010
【図７Ａ】
0006538192.tif 000011
【図７Ｂ】
0006538192.tif 000012
【図７Ｃ】
0006538192.tif 000013
【図８】
0006538192.tif 000014
【図９】
0006538192.tif 000015
【図１０】
0006538192.tif 000016